(57)【要約】      （修正有）【課題】複数個の振動突起を振動板に対して容易に着脱できる振動式マッサージ器を提供する。【解決手段】一対の把手１を有する筐体２と、この筐体２内に防振材３を介して装着された振動源４と、筐体２の開口部５側に配置された振動板６と、振動板６に固定手段２４により着脱自在に固定された支持板８と、支持板８に設けられた複数個の振動突起９と、振動板６の支持板８と反対側に取り付けられ且つ開口部５側から振動源４を覆う保護カバー２０とを備えている。固定手段２４は、振動板６と支持板８との内、その一方の両端部に形成されたネジ孔と、他方の両端部に各ネジ孔に対応して形成された貫通孔と、各貫通孔に挿通され且つネジ孔に着脱自在に螺合する固定ネジ２７とを有する。【選択図】図２
0003113406.tif 000002
【実用新案登録請求の範囲】
【請求項１】
振動源（４）によって駆動される振動板（６）に複数個の振動突起（９）を備えた振動式マッサージ器において、支持板（８）に前記振動突起（９）を設け、前記支持板（８）を固定手段（２４）により前記振動板（６）に着脱自在に固定したことを特徴とする振動式マッサージ器。
【請求項２】
一対の把手（１）を有する筐体（２）と、該筐体（２）内に防振材（３）を介して装着された前記振動源（４）と、前記筐体（２）の開口部（５）側に配置された前記振動板（６）と、該振動板（６）の前記支持板（８）と反対側に取り付けられ且つ前記開口部（５）側から前記振動源（４）を覆う保護カバー（２０）とを備えたことを特徴とする請求項１に記載の振動式マッサージ器。
【請求項３】
前記固定手段（２４）は、前記振動板（６）と前記支持板（８）との内、その一方の両端部に形成されたネジ孔（２６）と、他方の両端部に前記各ネジ孔（２６）に対応して形成された貫通孔（２５）と、該各貫通孔（２５）に挿通され且つ前記ネジ孔（２６）に着脱自在に螺合する固定ネジ（２７）とを有することを特徴とする請求項１又は２に記載の振動式マッサージ器。
【請求項４】
前記固定手段（２４）は、前記振動板（６）と前記支持板（８）との両端部でその当接側と反対側に相対応して形成された係合凹部（６ａ）（８ａ）と、一対の先端部側が該各係合凹部（６ａ）（８ａ）に着脱自在に係合して前記振動板（６）と前記支持板（８）を厚さ方向に挟持する弾性挟持具（２９）とを備えたことを特徴とする請求項１又は２に記載の振動式マッサージ器。
【請求項５】
前記振動板（６）と前記保護カバー（２０）との間に重錘板（２１）を備え、前記支持板（８）の中央部に、該支持板（８）から突出する前記振動突起（９）とを備えたことを特徴とする請求項１〜４の何れかに記載の振動式マッサージ器。
【考案の詳細な説明】
【技術分野】
【０００１】
本考案は、指圧その他に利用する振動式マッサージ器に関し、複数個の振動突起を振動板に容易に着脱できるようにしたものである。
【背景技術】
【０００２】
振動式マッサージ器には、従来から筐体の外側に把手を備えたハンディータイプのものがある（特許文献１）。この振動式マッサージ器は、外側に把手が設けられた筐体と、この筐体にその内部の振動源を介して支持され且つ振動源により駆動される振動板と、この振動板に装着され且つ多数の小さい振動突起付きの押圧パッドとを備え、把手を把持して移動させながら、振動源の駆動により振動板を介して振動する押圧パッドを身体の患部に当てて指圧、その他のマッサージを行うようになっている。
【特許文献１】特開２００１−３４６８４５号公報
【考案の開示】
【考案が解決しようとする課題】
【０００３】
振動式マッサージ器により患部をマッサージする場合、長さの異なる振動突起を患部に応じて交換して使用できれば非常に便利である。例えば、身体の腹部の臓器をマッサージするときには、振動が内部の臓器に十分に到達するように長さの長い振動突起を使用することが望ましい。一方、長いままの振動突起であれば、皮膚表面近くをマッサージするときには不便である。従って、患部に応じて振動突起を交換できれば、振動式マッサージ器の利便性が著しく向上する。
【０００４】
しかし、従来の振動式マッサージ器は押圧パッド専用であって、その押圧パッドは振動板に対して着脱できない構造になっており、利便性に欠ける欠点がある。
【０００５】
本考案は、このような従来の問題点に鑑み、複数個の振動突起を振動板に対して容易に着脱できる振動式マッサージ器を提供することを目的とする。
【課題を解決するための手段】
【０００６】
本考案は、振動源４によって駆動される振動板６に複数個の振動突起９を備えた振動式マッサージ器において、支持板８に前記振動突起９を設け、前記支持板８を固定手段２４により前記振動板６に着脱自在に固定したものである。
【０００７】
そして、一対の把手１を有する筐体２と、該筐体２内に防振材３を介して装着された前記振動源４と、前記筐体２の開口部５側に配置された前記振動板６と、該振動板６の前記支持板８と反対側に取り付けられ且つ前記開口部５側から前記振動源４を覆う保護カバー２０とを備えてもよい。
【０００８】
また前記固定手段２４は、前記振動板６と前記支持板８との内、その一方の両端部に形成されたネジ孔２６と、他方の両端部に前記各ネジ孔２６に対応して形成された貫通孔２５と、該各貫通孔２５に挿通され且つ前記ネジ孔２６に着脱自在に螺合する固定ネジ２７とを有するものでもよい。
【０００９】
更に前記固定手段２４は、前記振動板６と前記支持板８との両端部でその当接側と反対側に相対応して形成された係合凹部６ａ，８ａと、一対の先端部側が該各係合凹部６ａ，８ａに着脱自在に係合して前記振動板６と前記支持板８を厚さ方向に挟持する弾性挟持具２９とを備えてもよい。また前記振動板６と前記保護カバー２０との間に重錘板２１を備え、前記支持板８の中央部に、該支持板８から突出する前記振動突起９とを備えてもよい。
【考案の効果】
【００１０】
本考案では、支持板８に振動突起９を設け、その支持板８を固定手段２４により振動板６に着脱自在に固定しているので、振動突起９が複数個あるにも拘わらず、その複数個の振動突起９を振動板６に対して容易に着脱できる。従って、長さの異なる複数種類の振動突起９を取り替えて使用でき、従来に比較して利便性が著しく向上する。
【考案を実施するための最良の形態】
【００１１】
以下、本考案の実施例を図面に基づいて詳述する。図１〜図８は本考案の第１の実施例を例示する。この実施例の振動式マッサージ器は、図１〜図５に示すように、外側に一対の把手１を有する筐体２と、この筐体２内に防振材３を介して装着された振動源４と、筐体２の開口部５側に配置され且つ振動源４により駆動される振動板６と、この振動板６に着脱自在に装着されたマッサージ用のアタッチメント７Ａ〜７Ｃとを備えている。
【００１２】
３種類のアタッチメント７Ａ〜７Ｃは、例えば次のように構成されている。アタッチメント７Ａは図５、図６に示すように支持板８と、この支持板８の中央部に配置され且つ支持板８から一体に突出する複数個の長い振動突起９とを備えている。アタッチメント７Ｂは図７に示すように支持板８と、この支持板８の略全体に略均一に分散して配置され且つ支持板８から一体に突出する複数個の中程度の長さの振動突起９とを備えている。アタッチメント７Ｃは図８に示すように支持板８と、略全体に略均一に分散して配置された比較的短い複数個の振動突起９を有し且つ支持板８の一側に装着された押圧パッド１０とを備えている。
【００１３】
筐体２は下方が開口部５となる箱状であって、その左右の側壁部２ａに一対の把手１が設けられている。なお、筐体２の前後の側壁部２ｂにも、必要に応じて把手１を設けてもよい。一方の把手１に電源コード１３が挿通され、その電源コード１３と反対側の側壁部２ａに電源スイッチ１４等が設けられている。
【００１４】
振動源４は駆動モータ１５と、この駆動モータ１５の回転軸１６の両端に固定された一対の偏心ウエイト１７とを備え、また駆動モータ１５はその両側に固定された左右両側の支持ブラケット１８と防振材３とを介して筐体２の頂壁部２ｃの内面に取り付けられている。回転軸１６は駆動モータ１５の両側近傍で支持ブラケット１８に装着された軸受１９により回転自在に支持され、その軸受１９の外側近傍に偏心ウエイト１７が固定されている。一対の偏心ウエイト１７は回転軸１６廻りに逆位相に配置されている。防振材３は複数個（例えば４個）あり、その各々はゴムその他の材料により円柱状等に形成されている。
【００１５】
支持ブラケット１８は筐体２の開口部５から下側に突出しており、図５、図６に示すようにその突出端側の各取り付け部１８ａに跨がって、振動源４、支持ブラケット１８を開口部５側から覆う保護カバー２０、重錘板２１及び振動板６がネジ２２により着脱自在に固定されている。
【００１６】
振動板６はアタッチメント７Ａ〜７Ｃの取り付け用及びマッサージ用を兼用する合成樹脂製であって、筐体２の開口部５側と略同程度の前後幅と、筐体２の開口部５側よりも若干長い程度の左右長さを有する矩形状に構成されている。重錘板２１は振動板６よりも若干小さい鋼板その他の金属板により構成されている。
【００１７】
保護カバー２０は筐体２の側壁部２ａ，２ｂとの間に所定の間隙をおいて開口部５側から筐体２内に嵌合するスカート部２３を有し、そのスカート部２３により振動源４及び支持ブラケット１８の周囲を覆っている。ネジ２２は各取り付け部１８ａに対応して４個あり、振動板６側から重錘板２１、保護カバー２０を貫通して取り付け部１８ａのネジ孔に螺合されている。なお、ネジ２２は必要に応じて緩み止めを施してもよい。
【００１８】
振動板６は、マッサージ用の患部接触面とアタッチメント７Ａ〜７Ｃ用の装着面とを兼用する平坦面を下側に有し、その平坦面側にアタッチメント７Ａ〜７Ｃの支持板８が当接して長手方向の両端部の一対の固定手段２４により着脱自在に固定されている。
【００１９】
即ち、支持板８は振動板６と略同程度の長さ、幅を有する。そして、振動板６、支持板８の長手方向の両端部の幅方向の中央部には、支持板８側に貫通孔２５が、振動板６側にネジ孔２６が夫々相対応して厚さ方向に形成され、支持板８の貫通孔２５からネジ孔２６に螺合する固定ネジ２７により、振動板６と支持板８とが着脱自在に固定されている。固定ネジ２７は、頭部２７ａ側に一対の操作つまみ部２７ｂを有する蝶ボルトにより構成され、ネジ部２７ｃの先端には貫通孔２５、ネジ孔２６に装入し易くなるようにテーパー部２７ｄが形成されている。なお、アタッチメント７Ｃには、図８に示すように固定ネジ２７の操作つまみ部２７ｂと干渉しないように切欠き部２８が設けられている。
【００２０】
身体のマッサージに際しては、患部に応じて３種類のアタッチメント７Ａ〜７Ｃの何れかを使い分ける。例えば、内臓等の身体の比較的深い患部をマッサージする場合には、図１〜図５に示すようにアタッチメント７Ａを振動板６に装着して使用する。
【００２１】
このアタッチメント７Ａを振動板６に装着する場合には、図６に示すようにアタッチメント７Ａの支持板８の貫通孔２５に固定ネジ２７のネジ部２７ｃを挿通し、そのネジ部２７ｃを振動板６のネジ孔２６に螺合して締め付ける。アタッチメント７Ａを振動板６から取り外す場合には、固定ネジ２７を緩めればよい。
【００２２】
従って、簡単な作業でアタッチメント７Ａを振動板６に容易に着脱でき、また確実に固定できる。しかも固定ネジ２７はネジ部２７ｃの先端にテーパー部２７ｄを有するので、貫通孔２５、ネジ孔２６への挿通も容易である。また他のアタッチメント７Ｂ，７Ｃを使用する場合にも同様である。このため患部に応じて各アタッチメント７Ａ〜７Ｃを取り替えながらマッサージでき、従来に比較して利便性が著しく向上する。またアタッチメント７Ａ〜７Ｃを取り外し、振動板６を患部に当ててマッサージすることも可能である。
【００２３】
振動源４、支持ブラケット１８を筐体２の開口部５側から保護カバー２０により覆っているため、筐体２の開口部５側と振動板６との間に隙間があるにも拘わらず、衣服等が振動源４、特に回転軸１６廻りに回転する偏心ウエイト１７等に巻き込まれる等の惧れがなく安全に使用できる。また振動板６のアタッチメント７Ａ〜７Ｃと反対側に重錘板２１を設けており、振動源４により振動板６と重錘板２１とを一体に駆動するため、振動板６側の質量不足を解消でき、十分なマッサージ効果を確保できる。
【００２４】
図９は本考案の第２の実施例を例示する。この実施例では、振動板６に貫通孔２５が、支持板８にネジ孔２６が夫々形成され、固定ネジ２７が振動板６の貫通孔２５から挿通されて支持板８のネジ孔２６に螺合されている。この場合には、固定ネジ２７の操作つまみ部２７ｂが振動板６よりも筐体２側になるため、その操作つまみ部２７ｂがマッサージの邪魔になるようなこともない。
【００２５】
図１０、図１１は本考案の第３の実施例を例示する。この実施例では、固定手段２４は、振動板６と支持板８との長手方向の両端部で且つ幅方向の中央部において、その当接側と反対側に相対応して形成された係合凹部６ａ，８ａと、一対の先端部側が各係合凹部６ａ，８ａに着脱自在に係合して振動板６と支持板８を厚さ方向に挟持する弾性挟持具２９とを備えている。
【００２６】
各係合凹部６ａ，８ａは長手方向の中央側が深くなる溝状であり、振動板６及び支持板８の短辺側に沿って幅方向に長く形成されている。弾性挟持具２９は連結部２９ａと、その両端から屈曲する一対の挟持部２９ｂとを備え、弾性帯板等を屈曲形成してム字状に構成されている。そして、連結部２９ａに把持部２９ｃがネジ２９ｄ等により固定されている。
【００２７】
支持板８と振動板６との一方には位置決め突起３０が設けられ、その位置決め突起３０が他方の位置決め部３１に係合している。位置決め突起３０はネジにより構成されている。なお、位置決め突起３０は支持板８又は振動板６にモールド成型するか、一体に成型してもよい。
【００２８】
弾性挟持具２９による振動板６と支持板８との固定を解除して、アタッチメント７Ａ〜７Ｃを振動板６から取り外す場合には、把持部２９ｃを把持して左右方向に回動させると、一対の挟持部２９ｂが係合凹部６ａ，８ａから外れてその外側に乗り上がる。そして、その状態で把持部２９ｃを外側へと引っ張れば、一対の挟持部２９ｂが振動板６、支持板８から外れる。
【００２９】
弾性挟持具２９によりアタッチメント７Ａ〜７Ｃを振動板６に固定する場合には、例えば図１１に仮想線で示すように弾性挟持具２９を若干斜めにした状態で、その一対の挟持部２９ｂの内、一方の挟持部２９ｂの先端部を支持板８の係合凹部８ａに当て、他方の挟持部２９ｂの先端部を振動板６の係合凹部６ａの外側に当てる。
【００３０】
そして、他方の挟持部２９ｂ側を係合凹部６ａへと押し込んで行くと、一対の挟持部２９ｂ間の間隔が広がりながら、各挟持部２９ｂの先端部が係合凹部６ａ，８ａに係合して、図１１に実線で示すように一対の挟持部２９ｂにより振動板６と支持板８とを厚さ方向に弾性的に挟持して固定できる。従って、このような弾性挟持具２９を利用することも可能である。
【００３１】
以上、本考案の実施例について詳述したが、本考案はこの実施例に限定されるものではなく、種々の変更が可能である。例えば、アタッチメント７Ａ〜７Ｃの振動突起９の形状、本数は、対象とする患部等に応じて適宜変更してもよい。またアタッチメントは１種類でもよいし、実施例に例示する以外のアタッチメントを使用してもよい。固定手段２４は固定ネジ２７式、弾性挟持具２９式以外のものでも良い。振動式マッサージ器はアームの先端側に筐体２等を備えたものでもよい。振動板６はアタッチメント７Ａ〜７Ｃの取り付け専用としてもよい。
【図面の簡単な説明】
【００３２】
【図１】本考案の第１の実施例を示す振動式マッサージ器の斜視図である。
【図２】本考案の第１の実施例を示す振動式マッサージ器の一部破断正面図である。
【図３】本考案の第１の実施例を示す振動式マッサージ器の一部破断側面図である。
【図４】本考案の第１の実施例を示す振動式マッサージ器の底面図である。
【図５】本考案の第１の実施例を示す振動式マッサージ器の要部の分解斜視図である。
【図６】本考案の第１の実施例を示すアタッチメント取り付け部の拡大断面図である。
【図７】本考案の第１の実施例を示すアタッチメントの斜視図である。
【図８】本考案の第１の実施例を示すアタッチメントの斜視図である。
【図９】本考案の第２の実施例を示すアタッチメント取り付け部の拡大断面図である。
【図１０】本考案の第３の実施例を示す振動式マッサージ器の底面図である。
【図１１】本考案の第３の実施例を示すアタッチメント取り付け部の斜視図である。
【符号の説明】
【００３３】
１  把手
２  筐体
３  防振材
４  振動源
５  開口部
６  振動板
８  支持板
９  振動突起
２０  保護カバー
２４  固定手段
２５  貫通孔
２６  ネジ孔
【図１】
0003113406.tif 000003
【図２】
0003113406.tif 000004
【図３】
0003113406.tif 000005
【図４】
0003113406.tif 000006
【図５】
0003113406.tif 000007
【図６】
0003113406.tif 000008
【図７】
0003113406.tif 000009
【図８】
0003113406.tif 000010
【図９】
0003113406.tif 000011
【図１０】
0003113406.tif 000012
【図１１】
0003113406.tif 000013